(57)【特許請求の範囲】
【請求項１】
本体と前記本体に対して開閉されるフォルダとを有するフォルダ型携帯端末のスナップヒンジ装置であって、
ヒンジハウジングと、
ヒンジシャフトと、
前記ヒンジシャフトに備えられた弾性体と、
相互に対向する第１及び第２のカムを含み、前記第１及び第２のカムが前記弾性体により密着するようにすることによりカム運動を行うカム部と、
前記ヒンジハウジングに結合されることにより前記カム部を前記ヒンジハウジングの外部から遮蔽するカムカバーとを、具備し、
第１のギャップ（ｇ１）は、前記第２のカムの外面と前記カムカバーの内面との間に形成され、
第２のギャップ（ｇ２）が前記ヒンジシャフトの外面と前記第２のカムの内面との間に形成され、前記第２のギャップ（ｇ２）は、前記第１のギャップ（ｇ１）より小さく形成されることにより、前記弾性体により提供される力は、前記フォルダの開閉動作の際に前記第２のギャップにて前記ヒンジシャフトの外面と前記第２のカムの内面とを相互に衝突させて聴覚的スナップを発生することを特徴とするスナップヒンジ装置。
【請求項２】
前記ヒンジシャフトの一端には、各々長方形の、平行する上、下平坦面が形成され、前記第２のカムは、前記上、下平坦面に配置され、前記第２のギャップ（ｇ２）は、前記上、下平坦面と前記第２のカムの内面間に形成されることを特徴とする請求項１に記載のスナップヒンジ装置。
【請求項３】
フォルダ型携帯端末であって、
本体と、
フォルダと、
前記本体に対して前記フォルダが開閉されるようにするスナップヒンジ装置と、を具備し、
前記スナップヒンジ装置は、
ヒンジハウジングと、
ヒンジシャフトと、
前記ヒンジシャフトに備えられた弾性体と、
相互に対向する第１及び第２のカムを含み、前記第１及び第２のカムが前記弾性体により相互に密着するようにすることによりカム運動を行うカム部と、
前記ヒンジハウジングに結合されることにより前記カム部を前記ヒンジハウジングの外部から遮蔽するカムカバーとを有し、
第１のギャップ（ｇ１）は、前記第２のカムの外面と前記カムカバーの内面との間に形成され、
第２のギャップ（ｇ２）が前記ヒンジシャフトの外面と前記第２のカムの内面との間に形成され、前記第２のギャップ（ｇ２）は、前記第１のギャップ（ｇ１）より小さく形成されることにより、前記弾性体により提供される力は、前記フォルダの開閉動作の際に前記第２のギャップにて前記ヒンジシャフトの外面と前記第２のカムの内面とを相互に衝突させて聴覚的スナップを発生することを特徴とするスナップヒンジ装置。
【発明の詳細な説明】
【技術分野】
【０００１】
本発明は、携帯端末に係り、特に、フォルダ型携帯端末のスナップヒンジ装置に関する。
【背景技術】
【０００２】
通常、ここで用いる携帯端末という用語は、セルラーフォン、スマートフォン、ＰＤＡ、ノートブックＰＣ、ウェブボード、電子本などの携帯用電子機器を含む。移動通信が可能な携帯端末は、全体的な外観に従ってバー型（ｂａｒ−ｔｙｐｅ）、フォルダ型（ｆｏｌｄｅｒ−ｔｙｐｅ）、及びスライド型（ｓｌｉｄｅ−ｔｙｐｅ）などに分類され得る。
【０００３】
上述した様々な類型の携帯端末の中で、フォルダ型携帯端末は、本体と、フォルダと、本体及びフォルダを回転可能に接続するヒンジ装置と、を含む。このようなフォルダ型携帯端末の基本的な構造は、当業者であれば容易に理解できるであろう。
【０００４】
フォルダ型携帯端末に採用されるヒンジ装置は、フォルダの開閉動作の際に半自動のフォルダ開閉力を提供する。即ち、フォルダの開動作の間に、ヒンジ装置は、フォルダが０度から所定の角度（ほぼ３０度乃至４５度）までは本体側に閉じるようにする力を提供する。このフォルダがこの所定の角度から開かれる角度（ほぼ１２０度乃至１７０度）までは、このフォルダが本体から遠ざかる方向に開かれるようにする力を提供し、このフォルダが完全に開放されている際に、このヒンジは、アンカー力（ａｎｃｈｏｒｉｎｇ  ｆｏｒｃｅ）を提供することが一般的である。このようなヒンジ装置の半自動フォルダ開閉力は、このフォルダの開閉動作の際にユーザの便宜性を考慮して提供される。
【０００５】
このような半自動フォルダ開閉力を提供するヒンジ装置は、基本的にハウジングと、シャフトと、弾性体と、カム部（ｃａｍ  ｕｎｉｔ）とを含む。このようなヒンジ装置の基本構成は、当業者であれば容易に理解できる。
【０００６】
半自動フォルダ開閉力を有するヒンジ装置が便利であるとしても、このヒンジ装置は、ユーザがフォルダを開閉する間にユーザの五感を刺激する使用感（ｆｅｅｌｉｎｇ  ｏｆ  ｕｓｅ）を提供できないという短所がある。フォルダの開閉に関連して使用された“使用感”とは、ユーザの感覚、即ち、フォルダの開閉状況を聴覚、視覚、又は触覚により認識可能にするという意味である。
【０００７】
上述したフォルダ開閉の際の使用感が聴覚的である場合には、フォルダの開閉の際に音が発生しなければならない。同様に、この使用感が視覚的である場合には、開閉動作の際、発光部などを使用して目で感知可能な光を発生しなければならない。この使用感が触覚的である場合には、ユーザの触覚により感知可能な力をモーターなどの力発生装置により提供しなければならない。
【０００８】
いずれにせよ、フォルダ型携帯端末に採用されたヒンジ装置を用いて五感を刺激する使用感をフォルダの開閉動作の際に採用する必要性が要求される。
【先行技術文献】
【特許文献】
【０００９】
【特許文献１】韓国登録特許公報１０−０７０６１２９
【特許文献２】韓国登録特許公報１０−０６０５０４６
【発明の概要】
【発明が解決しようとする課題】
【００１０】
本発明は、上述した従来技術の問題点を解決するためになされたものであって、その目的とするところは、フォルダ型携帯端末の開閉動作の際にユーザの五感を刺激する使用感を提供するフォルダ型携帯端末に用いられるヒンジ装置を提供することにある。
【００１１】
本発明の目的は特に、フォルダの開閉動作を聴覚的スナップによりユーザに知らせるフォルダ型携帯端末のスナップヒンジ装置を提供することにある。
【００１２】
本発明の目的は、より具体的には、ヒンジシャフトと第２のカム間のギャップを用いてフォルダの開閉動作をユーザに聴覚的に知らせるフォルダ型携帯端末のスナップヒンジ装置を提供することにある。
【課題を解決するための手段】
【００１３】
上記のような目的を達成するためになされた本発明の実施形態の一態様によれば、スナップヒンジ装置は、ヒンジハウジングと、ヒンジシャフトと、前記ヒンジシャフトに備えられた弾性体と、相互に対向する第１及び第２のカムを含み、前記第１及び第２のカムが前記弾性体により密着するようにすることによりカム運動を行うカム部と、前記ヒンジハウジングに結合されることにより前記カム部を前記ヒンジハウジングの外部から遮蔽するカムカバーとを、具備し、第１のギャップ（ｇ１）は、前記第２のカムの外面と前記カムカバーの内面との間に形成され、第２のギャップ（ｇ２）が前記ヒンジシャフトの外面と前記第２のカムの内面との間に形成され、前記第２のギャップ（ｇ２）は、前記第１のギャップ（ｇ１）より小さく形成されることにより、前記弾性体により提供される力は、フォルダの開閉動作の際に前記第２のギャップにてヒンジシャフトの外面と第２のカムの内面との衝突によるスナップ音を提供する。
【００１４】
本発明の実施形態の他の態様によれば、上記ヒンジシャフトの一端には、各々長方形の、平行する上、下平坦面が形成され、上記第２のカムは、上記上、下平坦面に配置され、上記第２のギャップ（ｇ）２は、上記上、下平坦面と上記第２のカムの内面との間に形成される。
【発明の効果】
【００１７】
本発明によれば、フォルダ型携帯端末のスナップヒンジ装置において、ヒンジシャフトと第２のカム間のギャップを用いてフォルダの開閉動作の際に聴覚的スナップを提供するので、ユーザが聴覚的使用感を感じることができる。
【００１８】
本発明の実施形態の上述した及び他の様相、特徴、及び利点は、以下の添付図面が併用された後述の詳細な説明から、より一層明らかになるだろう。
【図面の簡単な説明】
【００１９】
【図１】本発明によるフォルダ型携帯端末に採用されたスナップヒンジ装置の概略図である。
【図２】本発明によるスナップヒンジ装置の構成を示す分解斜視図である。
【図３】本発明によるスナップヒンジ装置の構成を示す組立断面図である。
【図４】図３のスナップヒンジ装置の要部の拡大図である。
【図５】本発明によるスナップヒンジ装置のギャップ状態を示す一側面図である。
【発明を実施するための形態】
【００２０】
以下、本発明の望ましい実施形態を添付の図面を参照して詳細に説明する。下記の説明において、同一の構成要素又は機能的に類似した構成要素に対しては同一の参照符号及び参照番号を付ける。
【００２１】
図１に示すように、本発明によるスナップヒンジ装置Ｈは、フォルダ型携帯端末で採用される。ここで使用される“スナップヒンジ装置Ｈ”は、フォルディング動作の際に動作状態をユーザに聴覚で知らせるヒンジ装置を意味する。特に、本発明によるスナップヒンジ装置Ｈは、フリーストップ（ｆｒｅｅ  ｓｔｏｐ）タイプのヒンジ装置において聴覚的スナップを発生させる。
【００２２】
フォルダ型携帯端末は、本体２００と、フォルダ３００と、フォルダ３００を本体２００に回転可能であるように接続するスナップヒンジ装置Ｈとを含む。スナップヒンジ装置Ｈは、本体２００のサイドヒンジアームとフォルダ３００のセンターヒンジアームとを相互に接続することにより、フォルダ３００のフォルディング動作の間にヒンジ軸（ｈｉｎｇｅ  ａｘｉｓ）Ａを提供する。
【００２３】
本発明によるスナップヒンジ装置Ｈの構成については、図２乃至図４を参照してより詳細に説明する。図２乃至図４に示すように、スナップヒンジ装置Ｈは、ヒンジハウジング１０と、ヒンジシャフト１２と、弾性体１４と、第１のカム１５及び第２のカム１６から構成されるカム部と、カムカバー１７と、アンカリング部材１８とを含む。特に、スナップヒンジ装置Ｈは、カム運動によりユーザに感知可能な聴覚的スナップを発生させるために、ヒンジシャフト１２と第２のカム１６との間に第２のギャップｇ２を提供する。また、スナップヒンジ装置Ｈは、第１及び第２のカム１５、１６からなるカム部のカム運動を用いて携帯端末のフォルディング動作の際にフォルダ開閉力の一部を提供する。
【００２４】
ヒンジハウジング１０は、ヒンジシャフト１２と、弾性体１４と、第１及び第２のカム１５、１６と、を受容する細長いケースであり、ヒンジ軸Ａに沿って配列される。ヒンジハウジング１０の一端は、一部が開放され、他端は、完全に開放される。カムカバー１７は、このヒンジハウジングの他端に結合され、ヒンジハウジングの他端を閉鎖する。
【００２５】
ヒンジシャフト１２は、ヒンジハウジング１０の中心を貫通するように挿入され、ヒンジ軸Ａの長手方向（ヒンジ軸方向）に伸張する。ヒンジシャフト１２は、一端側には係止稜１２４を有し、他端側には、係止溝１２０を有する。即ち、係止稜１２４の直径は、ヒンジシャフト１２の直径より大きく、係止稜１２４はヒンジハウジング１０の一端の外側面に固定される。係止溝１２０の直径は、ヒンジシャフト１２の直径より小さく、ヒンジシャフトの中心軸に向かってくぼんでいる。アンカリング部材（Ｅ−リング）１８は、係止溝１２０に締結される。ヒンジシャフト１２は、弾性体１４を貫通するように設置されることにより弾性体１４の圧縮又は引っ張り移動をガイドする。ヒンジシャフト１２は、全ヒンジ装置Ｈの軸として機能する。また、ヒンジシャフト１２は、他端側の外周面上にＤ−カッティングを行うことにより上、下平坦面１２１及び１２３をそれぞれ提供する。第２のカム１６は、上、下平坦面１２１及び１２３上に配置され、これについては後述する。
【００２６】
好ましくは、弾性体１４は、ヒンジハウジング１０内にヒンジ軸Ａに沿って配置される圧縮コイルスプリングである。ヒンジシャフト１２に沿って圧縮又は引っ張りがなされる場合に、弾性体１４は、カム部を構成する第１のカム１５と第２のカム１６とを互いに密着させる。弾性体１４の一端は、ヒンジハウジング１０の一端の内面によりサポートされる。弾性体１４の他端は、カム部（第１のカム１５及び第２のカム１６）に密着した状態を維持する。また、弾性体１４の弾性力は、第１のカム１５及び第２のカム１６からなるカム部のカム運動による動力伝達の形でフォルダ開閉力に転換される。
【００２７】
カム部の第１のカム１５は、ヒンジハウジング１０内でヒンジシャフト１２に沿ってスライディングし、第２のカム１６は、フォルダの回転に従って回転する。第１のカム１５の一側面は、弾性体１４の他端と密接し、第１のカム１５の他側面には、一つの直径に沿って凹部が形成され、これにより、凹形状カム面１５０を提供する。また、第２のカム１６の一側面には、一つの直径に沿って凸部が形成され、これにより、凸形状カム面１６０を提供することにより、凹形状カム面１５０と常に密着した状態を維持しつつカム運動を行う。また、第２のカム１６の他側面は、カムカバー１７に密着するように結合される。
フォルダのフォルディング動作の際に、第１のカム１５は、ヒンジ軸に沿って直線でスライディングし、第２のカム１６は、ヒンジ軸を中心に回転する。同時に、第１のカム１５及び第２のカム１６のカム面は、相互にスライディングする。従って、カム運動は、凹形状カム面１５０と凸形状カム面１６０間でなされる。凸形状カム面１６０が凹形状カム面１５０に受容される場合に、フォルダ運動は、停止される。凸形状カム面１６０が凹形状カム面１５０と係合される過程にあるか、又は凸形状カム面１６０が凹形状カム面１５０から離脱する過程にある場合に、フォルダを開、又は閉する力が供給される。
【００２８】
カムカバー１７は、第２のカム１６と結合されることによりヒンジハウジング１０の他側面を閉鎖する。最終的に、カムカバー１７は、係止溝１２０に締結されたアンカリング部材（Ｅ−リング）１８によりヒンジハウジング１０に結合されることによりヒンジハウジング１０を閉鎖する。
【００２９】
図４及び図５に示すように、２個のギャップが、フォルダの開閉動作の際に聴覚的スナップを提供するために備えられる。第１のギャップｇ１は、カムカバー１７と第２のカム１６との間に形成され、第２のギャップｇ２は、ヒンジシャフト１２と第２のカム１６との間に形成される。より詳細に、カムカバー１７の内面と第２のカム１６の外面間は、相互に対向しつつ一定の間隔をなし、ヒンジシャフト１２の外面と第２のカム１６の内面間は、相互に対向しつつ一定の間隔をなす。
【００３０】
上述したように、ヒンジシャフト１２の他端部は、所定の長さでＤ−カッティングを行うことにより上、下平坦面１２１及び１２３を形成し、第２のカム１６は、上、下平坦面１２１及び１２３を有するヒンジシャフト１２の他端部に第２のギャップｇ２を備えて嵌め込まれる（図３及び図４を参照）。これに関連して、第２のカム１６の内面も上、下平坦面が備えられる。結果的に、第２のギャップｇ２は、ヒンジシャフトの上、下平坦面１２１及び１２３と第２のカム１６の内面上に形成された上、下平坦面間で維持される。
【００３１】
好ましくは、第１のギャップｇ１より第２のギャップｇ２のサイズを小さくすることにより、フォルダの開閉動作の際に第２のギャップｇ２により可聴音が発生する。
【００３２】
即ち、フォルダの開閉動作の際に、ヒンジシャフト１２が反時計方向に回転する場合に、まず、ヒンジシャフト１２の一側の外面（コーナー部）は、第２のカム１６の内面（コーナー部）と接触する。従って、このような反時計方向回転力は、第１のギャップｇ１より第２のギャップｇ２のサイズを小さく形成してあるので、第２のカム１６を回転させる。同時に、第１のカム１５上の凹形状カム面１５０は、第２のカム１６上の凸形状カム面１６０に沿ってスライディングし、凸形状カム面１６０から抜け出す（即ち、離脱する）。
【００３３】
ヒンジシャフト１２が継続して回転する場合に、第１のカム１５は後退し、第２のカム１６上の凸形状カム面１６０は、凹形状カム面１５０で形成される突出部に密着する。その後に、ヒンジシャフト１２が同一の方向に継続して回転する場合に、凸形状カム面１６０は、凹形状カム面１５０に沿って急速に下降することにより音を発生する。即ち、この音は、凸形状カム面１６０が凹形状カム面１５０に急速に下降する間に、ヒンジシャフト１２の外面と第２のカム１６の内面とが衝突しつつ発生する。即ち、聴覚的スナップが発生する。
【００３４】
第２のギャップｇ２が第１のギャップｇ１より小さく形成されることにより、このフォルダの開閉動作の際の音の発生は、第２のギャップｇ２による。即ち、ヒンジシャフト１２の外面と第２のカム１６の内面間の第２のギャップｇ２は、第１のギャップｇ１より相対的に小さいので、第２のギャップｇ２によりカム運動の際に発生する音は、聴覚的スナップを提供する。
【００３５】
以上、本発明を具体的な実施形態を参照して詳細に説明してきたが、本発明の範囲及び趣旨を逸脱することなく様々な変更が可能であるということは、当業者には明らかであり、本発明の範囲は上述の実施形態に限定されるべきではなく、特許請求の範囲の記載及びこれと均等なものの範囲内で定められるべきである。
【符号の説明】
【００３６】
１０    ヒンジハウジング
１２    ヒンジシャフト
１４    弾性体
１５    第１のカム
１６    第２のカム
１７    カムカバー
１８    アンカリング部材
１２０    係止溝
１２１、１２３    上平坦面、下平坦面
１２４    係止稜
１５０    凹形状カム面
１６０    凸形状カム面
２００    （携帯端末の）本体
３００    （携帯端末の）フォルダ
Ａ    ヒンジ軸
ｇ１    第１のギャップ
ｇ２    第２のギャップ
Ｈ    スナップヒンジ装置
【図１】
0005932280.tif 000002
【図２】
0005932280.tif 000003
【図３】
0005932280.tif 000004
【図４】
0005932280.tif 000005
【図５】
0005932280.tif 000006